(57)【要約】【課題】複数の二次電池における充放電の電流値を適正に増大させることができるとともに、接続する電極端子の位置のばらつき、および変位を適切に吸収することができる電極端子接続部材および組電池モジュールを提供することである。【解決手段】実施形態の電極端子接続部材は、複数の端子部と、複数の貫通孔が設けられた連結部とを持つ。複数の端子部は、複数の電極端子に電気的に接続される。連結部は、複数の端子部を連結する。【選択図】図１
2015210896.tif 000002
【特許請求の範囲】
【請求項１】
複数の電極端子に電気的に接続される複数の端子部と、
前記複数の端子部を連結するとともに、複数の貫通孔が設けられた連結部と、
を備える、
電極端子接続部材。
【請求項２】
千鳥状に配置された前記複数の貫通孔が設けられた前記連結部を備える、
請求項１に記載の電極端子接続部材。
【請求項３】
ひし形または亀甲形の網目形状を成す前記複数の貫通孔が設けられた前記連結部を備える、
請求項１または請求項２に記載の電極端子接続部材。
【請求項４】
前記複数の端子部の連結方向に直交する方向に伸びる長穴形状の前記複数の貫通孔が設けられた前記連結部を備える、
請求項１または請求項２に記載の電極端子接続部材。
【請求項５】
前記複数の端子部の連結方向に対する前記複数の端子部の各々の断面積および前記連結部の断面積が所定範囲内で一致するように、前記貫通孔が設けられた部位は、前記貫通孔が設けられていない部位に比べて、前記連結方向に直交する方向の長さが、より長く形成されている、
請求項１から請求項４の何れか１つに記載の電極端子接続部材。
【請求項６】
前記連結部は、変形する湾曲形状に形成されている、
請求項１から請求項５の何れか１つに記載の電極端子接続部材。
【請求項７】
複数の二次電池と、
前記複数の二次電池の電極端子を電気的に接続する請求項１から請求項６の何れか１つに記載の少なくとも１つ以上の電極端子接続部材と、
を備える、
組電池モジュール。
【発明の詳細な説明】
【技術分野】
【０００１】
本発明の実施形態は、電極端子接続部材および組電池モジュールに関する。
【背景技術】
【０００２】
従来、複数の二次電池の電極端子間を電気的に接続する接続バスバーがある。このような接続バスバーは、複数の二次電池の充放電の電流値を増大させることに伴って、厚さおよび幅などの増大によって断面積が増大するように形成される場合がある。このように接続バスバーの断面積が増大することに伴い、接続バスバーの剛性が高くなるので、接続する電極端子の位置のばらつき、および変位などを接続バスバーの変形によって吸収することが難しい場合がある。
【先行技術文献】
【特許文献】
【０００３】
【特許文献１】特開２０１１−２５３７７９号公報
【発明の概要】
【発明が解決しようとする課題】
【０００４】
本発明が解決しようとする課題は、複数の二次電池における充放電の電流値を適正に増大させることができるとともに、接続する電極端子の位置のばらつき、および変位を適切に吸収することができる電極端子接続部材および組電池モジュールを提供することである。
【課題を解決するための手段】
【０００５】
実施形態の電極端子接続部材は、複数の端子部と、複数の貫通孔が設けられた連結部とを持つ。複数の端子部は、複数の電極端子に電気的に接続される。連結部は、複数の端子部を連結する。
【図面の簡単な説明】
【０００６】
【図１】実施形態の組電池モジュールの構成を示す斜視図。
【図２】実施形態の電極端子接続部材の平面図。
【図３】実施形態の電極端子接続部材の断面図。
【図４】実施形態の第１の変形例の電極端子接続部材の平面図。
【図５】実施形態の第１の変形例の電極端子接続部材の断面図。
【図６】実施形態の第２の変形例の電極端子接続部材の平面図。
【図７】実施形態の第２の変形例の電極端子接続部材の断面図。
【発明を実施するための形態】
【０００７】
以下、実施形態の電極端子接続部材および組電池モジュールを、図面を参照して説明する。
【０００８】
実施形態の組電池モジュール１０は、図１に示すように、複数の二次電池１１と、複数の二次電池１１を収容する筐体１２と、蓋体１３と、複数のバスバー１４とを備えている。
【０００９】
複数の二次電池１１の各々は、例えば、リチウムイオン電池などの非水電解質二次電池である。各二次電池１１は、外装容器２１と、外装容器２１内に非水電解液と共に収納された電極体（図示略）と、を備えている。外装容器２１の外形は、扁平な略直方体形状に形成されている。外装容器２１は、アルミニウムまたはアルミニウム合金などの熱伝導性（熱伝導率）が高い材料により形成されている。各二次電池１１は、電極体の正極に接続された正極端子２２および負極に接続された負極端子２３を、例えば合成樹脂やガラスなどの絶縁体から成るガスケット２４を介して、端子面２５の長手方向両端部の各々に備えている。
【００１０】
筐体１２は、樹脂などの非導電性の材料により形成されている。筐体１２は、複数の二次電池１１の各々の端子面２５を外部に露出させる開口部（図示略）を備えている。
蓋体１３は、樹脂などの非導電性の材料により形成されている。蓋体１３は、筐体１２の開口部に装着されて、開口部を塞ぐとともに、複数の二次電池１１の各々の端子面２５側の部位を固定する。蓋体１３は、筐体１２の開口部に装着された状態で複数の二次電池１１の正極端子２２および負極端子２３を外部に露出させる複数の端子孔（図示略）を備えている。
【００１１】
複数のバスバー１４の各々の外形は、例えば板状に形成されている。各バスバー１４は、アルミニウムなどの金属によって形成されている。各バスバー１４は、蓋体１３の各端子孔から露出する正極端子２２および負極端子２３、つまり短手方向で隣り合う二次電池１１の互いの正極端子２２および負極端子２３を電気的に接続する。
【００１２】
各バスバー１４は、図１〜図３に示すように、２つの端子部３１と、連結部３２とを備えている。
２つの端子部３１は、例えば溶接またはねじ締結などによって、隣り合う二次電池１１の互いの正極端子２２および負極端子２３に接続される。各端子部３１には、正極端子２２または負極端子２３が装着される装着孔３１ａが設けられている。
連結部３２は、２つの端子部３１を連結する。連結部３２には、厚さ方向に貫通する複数の貫通孔３３が設けられている。複数の貫通孔３３は、例えば、千鳥状に配置されている。複数の貫通孔３３の各々の形状は、例えば、２つの端子部３１の連結方向に直交する方向に伸びる長穴形状に形成されている。複数の貫通孔３３の各々は、例えば２つの端子部３１の連結方向における伸縮などのように、各種の変形が可能に形成されている。
【００１３】
複数の貫通孔３３が設けられた連結部３２は、２つの端子部３１の各々に比べて、２つの端子部３１の連結方向に直交する方向（直交方向）の長さ（幅）が、より長く形成されている。２つの端子部３１の各々の直交方向の長さＬａと、連結部３２の直交方向の長さＬｂ（＞Ｌａ）とは、連結方向に対する２つの端子部３１の各々の断面積と連結部３２の断面積とが所定範囲内で一致するように設定されている。
【００１４】
以上説明した実施形態によれば、２つの端子部３１を連結するとともに、複数の貫通孔３３が設けられた連結部３２を持つことにより、２つの端子部３１が接続される正極端子２２および負極端子２３の位置のばらつきおよび変位を適切に吸収することができる。さらに、変形可能な複数の貫通孔３３が設けられた連結部３２を持つことにより、２つの端子部３１を正極端子２２および負極端子２３に接続する際に、正極端子２２および負極端子２３の相対変位を複数の貫通孔３３の変形によって吸収することができる。これにより正極端子２２および負極端子２３の位置ずれ、温度変化、および振動などに起因する相対変位を適正に吸収することができる。さらに、２つの端子部３１が正極端子２２および負極端子２３に接続された状態において、各バスバー１４の破損を防止し、正極端子２２および負極端子２３に作用する力を低く抑えることができる。
さらに、連結方向に対する２つの端子部３１の各々の断面積と所定範囲内で一致する断面積を有するように幅広に形成された連結部３２を持つことにより、電気抵抗の増大を防止し、各二次電池１１の充放電の電流値を必要に応じて適正に増大させることができる。
【００１５】
以下、第１の変形例について説明する。
第１の変形例の組電池モジュール１０は、図４および図５に示すように、連結部３２の直交方向の断面形状が、例えば円弧板状またはＵ字板状などのように、応力緩和用に湾曲した形状に形成されている。連結部３２は、直交方向の断面形状が、例えば、各二次電池１１の端子面２５から離間する方向に膨出するように湾曲する湾曲形状に形成されている。連結部３２は、例えば２つの端子部３１の連結方向における伸縮などのように、各種の変形が可能に形成されている。
この第１の変形例によれば、直交方向の断面形状が湾曲形状に形成された連結部３２を持つことにより、正極端子２２および負極端子２３の相対変位を連結部３２の変形によって、より一層、適正に吸収することができる。
【００１６】
以下、第２の変形例について説明する。
上述した実施形態においては、長穴形状に形成された貫通孔３３が設けられた連結部３２を備えるとしたが、これに限定されず、長穴形状以外の他の形状に形成された貫通孔が設けられた連結部３２を備えてもよい。
第２の変形例の組電池モジュール１０は、図６および図７に示すように、上述した実施形態の複数の貫通孔３３の代わりに複数の貫通孔４１が設けられた連結部３２を備えている。複数の貫通孔４１は、例えば、千鳥状に配置されている。複数の貫通孔４１の各々の形状は、例えば、ひし形または亀甲形の網目形状に形成されている。複数の貫通孔４１の各々は、例えば２つの端子部３１の連結方向における伸縮などのように、各種の変形が可能に形成されている。
この第２の変形例によれば、ひし形または亀甲形の網目形状に形成された複数の貫通孔４１が設けられた連結部３２を持つことにより、２つの端子部３１間を流れる電流の流れ方向に対する連結部３２の断面積を緩やかに変化させることができる。これにより連結部３２において局所的に電気抵抗が高くなることを防止し、各二次電池１１の充放電の電流値を必要に応じて適正に増大させることができる。
【００１７】
以上説明した少なくともひとつの実施形態によれば、複数の貫通孔３３（または貫通孔４１）が設けられた連結部３２を持つことにより、２つの端子部３１が接続される正極端子２２および負極端子２３の位置のばらつきおよび変位を適切に吸収することができる。さらに、変形可能な複数の貫通孔３３（または貫通孔４１）が設けられた連結部３２を持つことにより、正極端子２２および負極端子２３の相対変位を複数の貫通孔３３（または貫通孔４１）の変形によって吸収することができる。これにより正極端子２２および負極端子２３の位置ずれ、温度変化、および振動などに起因する相対変位を適正に吸収することができる。さらに、２つの端子部３１が正極端子２２および負極端子２３に接続された状態において、各バスバー１４の破損を防止し、正極端子２２および負極端子２３に作用する力を低く抑えることができる。
さらに、連結方向に対する２つの端子部３１の各々の断面積と所定範囲内で一致する断面積を有するように幅広に形成された連結部３２を持つことにより、電気抵抗の増大を防止し、各二次電池１１の充放電の電流値を必要に応じて適正に増大させることができる。
【００１８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００１９】
１０…組電池モジュール、１１…二次電池、１２…筐体、１３…蓋体、１４…バスバー、２２…正極端子、２３…負極端子、２５…端子面、３１…端子部、３２…連結部、３３…貫通孔、４１…貫通孔
【図１】
2015210896.tif 000003
【図２】
2015210896.tif 000004
【図３】
2015210896.tif 000005
【図４】
2015210896.tif 000006
【図５】
2015210896.tif 000007
【図６】
2015210896.tif 000008
【図７】
2015210896.tif 000009